(57)【要約】  【課題】  良好な通信感度を得ることができ、かつ、落下や衝突などの衝撃からアンテナを保護することができる携帯端末機を提供する。  【解決手段】  携帯端末機１は、ケース２内にカード本体収納部２２とアンテナ保持部３０とを備えている。通信カード３のカード本体２１から差し出された棒状のアンテナ２７を、畳むことなくケース２内に収納するとともに、アンテナ２７をアンテナ保持部３０に保持させて、アンテナ２７の角度をケース２の水平方向に対して斜めに傾斜した角度に保つ。【選択図】  図１
2006319855.tif 000002
【特許請求の範囲】
【請求項１】
ケース内に通信モジュールを収納する携帯端末機であって、
前記ケースには、前記通信モジュールのモジュール本体を収納するモジュール本体収納部と、前記モジュール本体の端部から差し出された棒状のアンテナを前記ケースの水平方向に対して斜めに傾斜した状態に保持するアンテナ保持部とが形成されていることを特徴とする携帯端末機。
【請求項２】
前記アンテナ保持部は、前記モジュール本体を前記モジュール本体収納部に収納するときに、前記ケースの水平方向に対して前記アンテナが斜め上向きに傾斜するように前記アンテナをガイドするためのアンテナガイド部を有していることを特徴とする請求項１に記載の携帯端末機。
【請求項３】
前記モジュール本体収納部は、前記モジュール本体を着脱自在に収納するように構成されていることを特徴とする請求項２に記載の携帯端末機。
【請求項４】
前記アンテナ保持部は、前記ケースの水平縦軸方向に対して水平横軸まわりに傾斜角θだけ斜め上向きに傾斜した状態に保持するように構成されており、前記傾斜角θは、３０°≦θ≦６０°の範囲に設定されていることを特徴とする請求項１ないし請求項３のいずれかに記載の携帯端末機。
【請求項５】
前記ケースは、前記通信モジュールを前記ケース内に収納した状態で、シール部材によって水密とされていることを特徴とする請求項１ないし請求項４のいずれかに記載の携帯端末機。
【発明の詳細な説明】
【技術分野】
【０００１】
本発明は、通信カード等の通信モジュールを内部に収納可能な携帯端末機に関するものである。
【背景技術】
【０００２】
近年、携帯端末機は各種の用途に用いられており、その用途に応じて携帯端末機には様々な機能が要求されている。携帯端末機の機能を拡充する場合、例えば通信機能を拡充する場合には、携帯電話の機能を有する通信カード（カード状の通信モジュール）等を携帯端末機に装着する。さらに、携帯端末機に装着される通信カードを様々な種類の通信カードに交換することによって、例えば携帯電話やＰＨＳ、無線ＬＡＮ等のいろいろな通信方式の通信網に対応することができる。
【０００３】
このような携帯端末機は、例えば宅配便の業務などに使用されている。その場合、使用者は、荷物の取扱い時に誤って携帯端末機を地面に落としてしまったり、携帯端末機を荷物にぶつけてしまうことがある。したがって、棒状のアンテナ（例えばロッドアンテナなど）を有する通信カードが装着された携帯端末機においては、上記のような落下や衝突の衝撃からアンテナを保護する必要がある。
【０００４】
従来、このような携帯端末機として通信カードのアンテナを畳んだ状態でケース内に収納したものが知られている（例えば特許文献１参照）。従来の携帯端末機では、通信カードのアンテナを畳んでケース内に収納することにより、落下や衝突の衝撃からアンテナを保護する。
【特許文献１】特開２００３−２０４３８１号公報（第３−５頁、第３図）
【発明の開示】
【発明が解決しようとする課題】
【０００５】
しかしながら、従来の携帯端末機では、通信カードのアンテナを畳んだ状態としているため、拡充すべき通信機能の主要素である通信感度（送受信感度）が低下するという問題があった。
【０００６】
そこで、良好な通信感度（送受信感度）を得るために、通信カードのアンテナを伸ばしてケース外に突出させることも考えられるが、その場合には、ケース外に突出したアンテナを落下や衝突の衝撃から保護することが難しいという問題があった。
【０００７】
本発明は、上記従来の問題を解決するためになされたもので、良好な通信感度（送受信感度）を得ることができ、かつ、落下や衝突などの衝撃からアンテナを保護することのできる携帯端末機を提供することを目的とする。
【課題を解決するための手段】
【０００８】
本発明の携帯端末機は、ケース内に通信モジュールを収納する携帯端末機であって、前記ケースには、前記通信モジュールのモジュール本体を収納するモジュール本体収納部と、前記モジュール本体の端部から差し出された棒状のアンテナを前記ケースの水平方向に対して斜めに傾斜した状態に保持するアンテナ保持部とが形成された構成とされている。
【０００９】
この構成により、通信モジュールのモジュール本体から差し出された棒状のアンテナを、携帯端末機のケース内に収納することができるので、使用者が誤って携帯端末機を地面に落としたり、荷物などにぶつけた場合であっても、落下や衝突などの衝撃が直接アンテナに加えられることがない。また、前記アンテナを畳むことなく前記ケース内に収納することができるので、従来のようにアンテナを畳んでケース内に収納した場合に比べて、アンテナの通信感度（送受信感度）を向上できる。
さらに、前記アンテナを前記アンテナ保持部に保持させることにより、前記アンテナの角度を前記ケースの水平方向に対して斜めに傾斜した角度に保つことができる。一般に、携帯端末機の通信に用いる電波には垂直偏波（電界の向きが地面に対して垂直方向を向いている電波）が使用されているため、アンテナが地面に対して水平方向を向くと通信感度が著しく低下する。一方、携帯端末機は使用者が持ち運んで使用するものであるため、その使用状況によって携帯端末機は地面に対して様々な方向（例えば水平方向や垂直方向）を向く場合がある。そのような場合であっても、上記のようにして前記アンテナの角度を前記ケースの水平方向に対して斜めに傾斜した角度に保持することにより、前記アンテナが地面に対して水平方向を向く可能性が低くなる。それにより、携帯端末のケースの水平方向に沿ってアンテナが設けられている場合や前記ケースの水平方向に対して垂直にアンテナが設けられている場合に比べて、通信感度を向上することができる。
【００１０】
また、本発明の携帯端末機では、前記アンテナ保持部は、前記モジュール本体を前記モジュール本体収納部に収納するときに、前記ケースの水平方向に対して前記アンテナが斜め上向きに傾斜するように前記アンテナをガイドするためのアンテナガイド部を有している。
【００１１】
この構成により、前記モジュール本体を前記モジュール本体収納部に収納する際に、前記モジュール本体から差し出されたアンテナは前記アンテナガイド部によってガイドされ、前記アンテナの角度を前記ケースの水平方向に対して斜め上向きに傾斜した角度に設定される。したがって、前記通信モジュールを取り付ける際に、アンテナの角度を斜め上向きに傾斜するように調整する手間を軽減することができ、通信モジュールの取り付け作業の労力を軽減することができる。
【００１２】
さらに、本発明の携帯端末機では、前記モジュール本体収納部は、前記モジュール本体を着脱自在に収納するように構成されている。
【００１３】
この構成により、携帯端末機に収納される通信モジュールを様々な種類の通信モジュールに交換することによって、携帯端末機に様々な種類の機能を持たせることができる。この場合、例えば携帯電話やＰＨＳ、無線ＬＡＮ等のいろいろな通信方式の通信網に対応することができる。
【００１４】
さらに、本発明の携帯端末機では、前記アンテナ保持部は、前記ケースの水平縦軸方向に対して水平横軸まわりに傾斜角θだけ斜め上向きに傾斜した状態に保持するように構成されており、前記傾斜角θは、３０°≦θ≦６０°の範囲に設定されている。
【００１５】
この構成により、使用状況によって携帯端末機が地面に対して様々な方向（例えば水平方向や垂直方向）を向く場合であっても、上記の範囲（３０°≦θ≦６０°）にアンテナの傾斜角θを設定することにより、前記アンテナが地面に対して水平方向を向く機会を効果的に減少させることができる。これにより、携帯端末のケースの水平方向に沿ってアンテナが設けられている場合や前記ケースの水平方向に対して垂直にアンテナが設けられている場合に比べて、通信感度を向上できる。
例えば、携帯端末機が宅配便の業務などに使用されている場合には、使用状況によって携帯端末機は主に二つの姿勢をとる。すなわち、携帯端末機を卓上などに置いてデータ入力等をする場合には、携帯端末機は地面に対して水平方向を向いた姿勢をとり、一方、使用者が携帯端末機を腰のホルダーに装着する等して持ち運んでいる場合には、携帯端末機は地面に対してほぼ垂直方向を向いた姿勢をとる。このような場合、上記の範囲（３０°≦θ≦６０°）にアンテナの傾斜角θが設定されていれば、前記アンテナが地面に対して水平方向を向くことがなく、通信感度が著しく低下するのを確実に防ぐことができる。
【００１６】
また、本発明の携帯端末機では、前記ケースは、前記通信モジュールを前記ケース内に収納した状態で、シール部材によって水密とされている。
【００１７】
この構成により、携帯端末機のケース内に前記アンテナを収納して、前記シール部材によって前記ケースを水密にすることができる。例えば、通信モジュールのアンテナをケース外に突出した構成した場合には、アンテナを挿通する部分でケースの水密構造が破れてしまうため、携帯端末機に防水機能を持たせることが困難である。それに比べて、上記の構成では、携帯端末機のケース内に前記アンテナを収納しているので、前記シール部材によって前記ケースを水密にして、携帯端末機に防水機能を持たせることが容易である。
【発明の効果】
【００１８】
本発明は、携帯端末機のケース内に、通信モジュールのモジュール本体の端部から差し出された棒状のアンテナをケースの水平方向に対して斜めに傾斜した状態に保持するアンテナ保持部を設けることにより、良好な通信感度（送受信感度）を得ることができ、かつ、落下や衝突などの衝撃からアンテナを保護することができるという効果を有する携帯端末機を提供することができるものである。
【発明を実施するための最良の形態】
【００１９】
以下、本発明の実施の形態の携帯端末機について、図面を用いて説明する。本実施の形態では、例えば宅配便の作業者が荷物の集配業務等で使用する携帯端末機の場合を例示して説明する。
【００２０】
本発明の実施の形態の携帯端末機を図１〜図３に示す。図１は携帯端末機１の要部側断面図であり、図２は携帯端末機１の裏側から見た分解斜視図である。図３は携帯端末機１のケース２の内部に通信カード３が収納された状態を示す斜視図である。
【００２１】
図に示すように、携帯端末機１のケース２内には、通信カード３（カード状の通信モジュール）が収納されている（図３参照）。携帯端末機１のケース２は樹脂製であり、上側（操作面側）の上ケース４と、上ケース４に下側から取り付けられる下ケース５と、下ケース５に下側から取り付けられるカバー６とによって構成されている（図１および図２参照）。図４は上ケース４の下面図であり、図５は下ケース５の下面図である。図６はカバーの上面図である。
【００２２】
上ケース４の上面の上部には、各種の情報や案内等が表示される液晶表示部７が設けられており、上ケース４の上面の下部には、宅配センターとの連絡や荷物に関する情報の入力などを行うための操作部８が設けられている。また、上ケース４および下ケース５の上端部の左右隅角部には、それぞれストラップ取付け部９が設けられており、ストラップ取付け部９に携帯端末機１の落下防止のためのストラップ（図示せず）を取り付けることができるように構成されている（図１および図３参照）。さらに、上ケース４および下ケース５の外側面の上端両側部には、それぞれ緩衝部材取付け部１０が形成されており、緩衝部材取付け部１０には、落下や衝突などの衝撃を緩和するためのエラストマー製の緩衝部材１１が取り付けられている（図３参照）。
【００２３】
上ケース４の下面には主基板１２がねじによって取り付け固定されており、上ケース４の下面の上端部には、主基板１２のさらに下側からコードリードモジュール１３がねじによって取り付け固定されている（図１および図２参照）。主基板１２は、携帯端末機１の各種機能を制御するための基板であり、コードリードモジュール１３は、荷物伝票などのバーコードを読み取るための装置である。また、上ケース４の下面全体の周縁部には、第一シール部材１４が取り付けられており、上ケース４の下面の操作部８の周縁部には、第二シール部材１５が取り付けられている（図４参照）。
【００２４】
そして、上ケース４の上端部の一方の隅角部には、側面視ほぼ三角形状のガイドリブ１６が設けられており、ガイドリブ１６の斜辺部１７の水平方向に対する角度θ１は約４５°に設定されている（図１および図４参照）。また、主基板１２の上端部の一方の隅角部には、ガイド切欠き部１８が形成されている（図１および図２参照）。さらに、コードリードモジュール１３の一方の端部には、正面視Ｕ字状のガイド凹部１９が側面視ほぼ三角形状になるように設けられている。そして、ガイド凹部１９の斜面部２０（底部）の水平方向に対する角度θ２は約３０°に設定されている（図１および図２参照）。
【００２５】
下ケース５の下面の上部には、通信カード３のカード本体２１（モジュール本体）を着脱自在に収納するためのカード本体収納部２２（モジュール本体収納部）が凹設されており、さらに、カード本体収納部２２の上端部の一方の隅角部には、ガイド孔２３が貫通して設けられている（図１、図２および図５参照）。また、下ケース５の下面のカード本体収納部２２の周縁部には、第三シール部材２４が取り付けられている（図５参照）。
【００２６】
下ケース５の下面の下部には、電池パック（図示せず）を着脱自在に収納するための電池収納部２５が凹設されている（図２および図５参照）。なお、下ケース５の上面の下部において、電池収納部２５に対応する位置には、金属製のシールド板（図示せず）が取り付けられている。また、下ケース５の下面の上端部には、コードリードモジュール１３から放射される読取りレーザーが透過する透明な樹脂製のレーザー透過窓２６が接着剤によって取り付けられている（図１および図２参照）。
【００２７】
通信カード３は、カード本体２１（モジュール本体）と、カード本体２１から差し出された棒状のアンテナ２７とを有している（図２および図３参照）。アンテナ２７の基端部がカード本体２１の上端部の角部に回動自在に取り付けられて、これにより、アンテナ２７がカード本体２１から突き出して立っている。より詳細には、カード本体２１にアンテナ基端保持部が設けられ、アンテナ基端保持部にアンテナ２７が立っている。そして、アンテナ基端保持部は、カード本体２１の上端面上でアンテナ２７を旋回するように回動させる旋回機構と、カード本体２１の上端面上でアンテナ２７を傾斜する方向に回動させる傾斜機構とを備えている。これにより、アンテナ基端保持部は、カード本体２１の上端面上で回動自在であり、アンテナ２７は、傾斜角度を変更可能なようにアンテナ基端保持部に回動自在に取り付けられている。通信カード３のカード本体２１は、カードスロット２８に装着されており、カード本体２１の下部のコネクタがカードスロット２８の底部のコネクタに連結されている。カードスロット２８は通信基板３５に固定されており、カードスロット２８が通信基板３５とともに、下ケース５のカード本体収容部２２に収容され、通信基板３５がねじによってカード収容部２２の底部に固定されている（図１および図２参照）。ここで、通信カード３は、例えばＣＦ（コンパクトフラッシュ（登録商標））カード規格の通信カードである。上記の通信基板と主基板１２とは、テープ状のフレキシブルプリント配線板（図示せず）によって電気的に接続されている。また、通信基板の下面の下端部には、例えばメモリーカードなどのカード型記録媒体３６を装着するためのカード装着口２９が設けられている。
【００２８】
通信カード３のアンテナ２７は、下ケース５のガイド孔２３から挿入されて、コードリードモジュール１３のガイド凹部１９と主基板１２のガイド切欠き部１８との間隙を通り抜けた状態で、上ケース４のガイドリブ１６に受け止められて、ケース２内に保持されている（図１参照）。すなわち、携帯端末機１のケース２には、上ケース４のガイドリブ１６と、主基板１２のガイド切欠き部１８と、コードリードモジュール１３のガイド凹部１９と、下ケース５のガイド孔２３とによってアンテナ保持部３０が形成されている（図１参照）。
【００２９】
そして、アンテナ保持部３０は、ケース２の上端部の一方の隅角部に設けられた非電波干渉領域、すなわち電波干渉の要因となるケース２内の金属製の部品から離れた領域に配置されている（図１〜図３参照）。例えば、本実施の形態では、アンテナ保持部３０は、金属製のカードスロット２８や電池パック、主基板１２、通信基板、シールド板などから離れた領域に配置されている。また、アンテナ保持部３０は、読取りレーザーの光路を確保するために比較的大きな空間が設けられた樹脂製のコードリードモジュール１３の近くに、すなわち、通信電波が電波干渉を受けにくい領域に配置されている。なお、この場合、アンテナ保持部３０が、読取りレーザーの光路を邪魔しない位置に配置されているのはもちろんである。
【００３０】
本実施の形態の携帯端末機１は、通信カード３のカード本体２１がケース２の最下部に配置されているので（図１および図３参照）、カード本体２１から差し出されたアンテナ２７を斜め上方に向けて傾斜させた場合であっても、ケース２内における高さ方向のスペースを有効に利用して、ケース２の高さが増加するのを抑えることができる構成とされている。
【００３１】
また、電池収納部２５がケース２の下部に配置されており、カード本体収納部２２がその上部に配置されているので（図２および図５参照）、ケース２内における縦方向のスペースを有効に利用して、カード本体２１の上端部の角部から差し出されたアンテナ２７をケース２の上端部の一方の隅角部に設けられた非電波干渉領域に容易に配置することができる構成とされている。
【００３２】
アンテナ保持部３０は、カード本体２１の端部から差し出された棒状のアンテナ２７をケース２の水平縦軸方向に対して水平横軸まわりに傾斜角θだけ斜め上向きに傾斜した状態に保持するように構成されている（図１参照）。ここで、ケース２の水平縦軸方向とは図１における左右方向をいい、ケース２の水平横軸方向とは図１における紙面垂直方向をいう。そして、ガイドリブ１６の斜辺部１７の水平方向に対する角度θ１が約４５°に設定されており、ガイド凹部１９の斜面部２０（底部）の水平方向に対する角度θ２が約３０°に設定されているので、アンテナ２７の傾斜角θはアンテナ保持部３０によって約３０°から約４５°の間の範囲で保持されるように設定されている。
【００３３】
また、携帯端末機１のケース２には、上ケース４のガイドリブ１６と、主基板１２のガイド切欠き部１８と、コードリードモジュール１３のガイド凹部１９と、下ケース５のガイド孔２３とによってアンテナガイド部３１が形成されている（図１参照）。そして、アンテナガイド部３１は、カード本体２１をカード本体収納部２２に収納するときに、ケース２の水平縦軸方向に対してアンテナ２７が水平横軸まわりに傾斜角θだけ斜め上向きに傾斜するようにアンテナ２７をガイドするように構成されている。
【００３４】
また、カバー６は、カード本体収納部２２を覆うカードカバー３２と、電池収納部２５を覆う電池カバー３３とを有している（図２および図６参照）。カードカバー３２と電池カバー３３とはヒンジ構造によって互いに回動可能に取り付けられている。したがって、カードカバー３２を下ケース５にねじによって取り付け固定した状態でも、電池カバー３３のみを回動させて電池収納部２５を開閉することにより、電池パックを着脱することができるように構成されている。また、電池カバー３３の上面（裏面）の下部において、電池収納部２５に対応する位置の周縁部には、第四シール部材３４が取り付けられている（図６参照）。
【００３５】
本実施の形態では、第一シール部材１４によって上ケース４と下ケース５との間は水密とされており、第二シール部材１５によって上ケース４と操作部８との間は水密とされている（図２および図４参照）。また、第三シール部材２４によって下ケース５のカード本体収納部２２とカードカバー３２との間は水密とされており（図２および図５参照）、第四シール部材３４によって下ケース５の電池収納部２５と電池カバー３３との間は水密とされている（図２および図６参照）。このようにして、携帯端末機１のケース２は、通信カード３をケース２内に収納した状態で、第一シール部材１４、第二シール部材１５、第三シール部材２４、第四シール部材３４によって水密とされている。
【００３６】
以上のように構成された携帯端末機１について、以下、その動作を説明する。ここでは、携帯端末機１のケース２内に収納された通信カード３を交換するときの動作を説明するが、まず、通信カード３を携帯端末機１から取り外す動作を説明する。
【００３７】
通信カード３を携帯端末機１から取り外す場合には、まず、カードカバー３２のねじを取り外して、カードカバー３２を電池カバー３３とともに下ケース５から取り外す。これにより、下ケース５のカード本体収納部２２に収納された通信カード３が露出する。このとき、通信カード３のカード本体２１はカードスロット２８に装着された状態とされており、また、通信カード３のアンテナ２７はアンテナ保持部３０に保持された状態とされている。
【００３８】
その後、通信基板３５のねじを取り外して、アンテナ２７をアンテナ保持部３０から引き抜きながら、カード本体２１が装着されたカードスロット２８を通信基板３５とともに下ケース５のカード本体収納部２２から取り外す。このとき、通信基板と主基板１２とはフレキシブルプリント配線板によって接続されたままの状態である。この状態で、カード本体２１をカードスロット２８から引き抜いて、通信カード３を携帯端末機１から取り外す。そして、取り外した通信カード３を、別の通信カード３と取り替える。
【００３９】
次に、取り替えた通信カード３を携帯端末機１に取り付ける動作を説明する。取り替えた通信カード３を携帯端末機１に取り付ける場合には、まず、通信カード３のカード本体２１をカードスロット２８に装着する。このとき、カード本体２１のコネクタとカードスロット２８のコネクタとが接続される。
【００４０】
その後、通信カード３のアンテナ２７をアンテナ保持部３０に挿入するとともに、カード本体２１が装着されたカードスロット２８を通信基板３５とともに下ケース５のカード本体収納部２２に取り付けて、通信基板３５を下ケース５のカード本体収納部２２にねじ止めして固定する。このとき、通信カード３のアンテナ２７は、アンテナガイド部３１によってガイドされる。すなわち、通信カード３のアンテナ２７は、下ケース５のガイド孔２３から挿入されると、コードリードモジュール１３のガイド凹部１９と主基板１２のガイド切欠き部１８との間を通り抜けて、上ケース４のガイドリブ１６に受け止められ、アンテナ２７の傾斜角θが約４０°から約４５°の間の範囲内に設定される。
【００４１】
このようにしてアンテナ保持部３０に挿入されたアンテナ２７は、アンテナ保持部３０によって保持される。すなわち、この状態で、アンテナ２７の左右方向への回動は、下ケース５のガイド孔２３によって規制されている。また、アンテナ２７の下方向への回動は、コードリードモジュール１３のガイド凹部１９によって規制されている。さらに、アンテナ２７の上方向への回動は、上ケース４のガイドリブ１６および主基板１２のガイド切欠き部１８によって規制されている。
【００４２】
そして、カードスロット２８を下ケース５のカード本体収納部２２にねじ止めして固定した後、カードカバー３２を電池カバー３３とともに下ケース５に取り付けて、下ケース５にねじ止めして固定する。これにより、カード本体収納部２２はカードカバー３２によって覆われた状態となるとともに、電池収納部２５は電池カバー３３によって覆われた状態となる。
【００４３】
このような発明の実施の形態の携帯端末機１によれば、ケース２内にカード本体収納部２２とアンテナ保持部３０を設けることにより、通信カード３のカード本体２１から差し出された棒状のアンテナ２７を、携帯端末機１のケース２内に収納することができる。したがって、使用者が誤って携帯端末機１を地面に落としたり、荷物などにぶつけた場合であっても、落下や衝突などの衝撃が直接アンテナ２７に加えられることがない。また、アンテナ２７を畳むことなくケース２内に収納することができるので、従来のようにアンテナ２７を畳んでケース２内に収納した場合に比べて、アンテナ２７の通信感度（送受信感度）を低下させることがない。さらに、アンテナ２７をアンテナ保持部３０に保持させることにより、アンテナ２７の角度をケース２の水平方向に対して斜めに傾斜した角度に保つことができる。
【００４４】
一般に、携帯端末機１の通信に用いる電波には垂直偏波（電界の向きが地面に対して垂直方向を向いている電波）が使用されているため、アンテナ２７が地面に対して水平方向を向くと通信感度が著しく低下する。一方、携帯端末機１は使用者が持ち運んで使用するものであるため、その使用状況によって携帯端末機１は地面に対して様々な方向（例えば水平方向や垂直方向）を向く場合がある。そのような場合であっても、上記のようにしてアンテナ２７の角度をケース２の水平方向に対して斜めに傾斜した角度に保持することにより、アンテナ２７が地面に対して水平方向を向く可能性が低くなる。それにより、携帯端末のケース２の水平方向に沿ってアンテナ２７が設けられている場合やケース２の水平方向に対して垂直にアンテナ２７が設けられている場合に比べて、通信感度を向上することができる。上記のようにして、本実施の形態の携帯端末機１では、良好な通信感度（送受信感度）を得ることができ、かつ、落下や衝突などの衝撃からアンテナ２７を保護することができる。
【００４５】
また、このような発明の実施の形態の携帯端末機１では、アンテナ保持部３０にアンテナガイド部３１を設けることにより、カード本体２１をカード本体収納部２２に収納する際に、カード本体２１から差し出されたアンテナ２７をアンテナガイド部３１によってガイドして、アンテナ２７の角度をケース２の水平方向に対して斜め上向きに傾斜した角度に設定することができる。したがって、通信カード３を取り付ける際に、アンテナ２７の角度を斜め上向きに傾斜するように調整する手間を軽減することができ、通信カード３の取り付け作業の労力を軽減することができる。
【００４６】
さらに、このような発明の実施の形態の携帯端末機１では、カード本体２１を着脱自在にすることにより、携帯端末機１に収納される通信カード３を様々な種類の通信カード３に交換することによって、携帯端末機１に様々な種類の機能を持たせることができる。この場合、例えば携帯電話やＰＨＳ、無線ＬＡＮ等のいろいろな通信方式の通信網に対応することができる。その上、上記のように、カード本体２１をカード本体収納部２２に交換する際には、カード本体２１から差し出されたアンテナ２７はアンテナガイド部３１によってガイドされ、アンテナ２７の角度をケース２の水平方向に対して斜め上向きに傾斜した角度に設定される。したがって、通信カード３を交換する際にアンテナ２７の角度を斜め上向きに傾斜するように調整する手間が軽減され、通信カード３の交換作業の労力が軽減される。
【００４７】
さらに、このような発明の実施の形態の携帯端末機１では、アンテナ２７の傾斜角θを所定の範囲に設定する。所定の範囲は、３０°から６０°の間の範囲が好ましく、本実施の形態では、約３０°から約４５°の間の範囲に設定されている。これにより、アンテナ２７が地面に対して水平方向を向く機会を効果的に減少させることができる。したがって、使用状況によって携帯端末機１が地面に対して様々な方向（例えば水平方向や垂直方向）を向く場合であっても、携帯端末のケース２の水平方向に沿ってアンテナ２７が設けられている場合やケース２の水平方向に対して垂直にアンテナ２７が設けられている場合に比べて、通信感度を向上できる。
【００４８】
例えば、携帯端末機１が宅配便の業務などに使用されている場合には、使用状況によって携帯端末機１は主に二つの姿勢をとる。すなわち、携帯端末機１を卓上などに置いてデータ入力等をする場合には、携帯端末機１は地面に対して水平方向を向いた姿勢をとり、一方、使用者が携帯端末機１を腰のホルダーに装着する等して持ち運んでいる場合には、携帯端末機１は地面に対してほぼ垂直方向を向いた姿勢をとる。このような場合、アンテナ２７の傾斜角θは約４５°に設定されているのが最も好ましく、それにより、アンテナ２７が地面に対して水平方向を向く機会が効果的にが減少し、通信感度が向上する。
【００４９】
また、このような発明の実施の形態の携帯端末機１では、アンテナ保持部３０を、樹脂製のケース２の縁部に設けられた非電波干渉領域、すなわち電波干渉の要因となるケース２内の金属製の部品から離れた領域に配置することにより、アンテナ保持部３０によってアンテナ２７が非電波干渉領域に保持されるので、アンテナ２７による通信が金属製の部品により受ける電波干渉を低減し、通信感度を向上できる。
【００５０】
また、このような発明の実施の形態の携帯端末機１によれば、第一シール部材１４、第二シール部材１５、第三シール部材２４、第四シール部材３４を設けることにより、携帯端末機１のケース２内にアンテナ２７を収納して、第一シール部材１４、第二シール部材１５、第三シール部材２４、第四シール部材３４によってケース２を水密にすることができる。
【００５１】
例えば、通信カード３のアンテナ２７をケース２外に突出した構成した場合には、アンテナ２７を挿通する部分でケース２の水密構造が破れてしまうため、携帯端末機１に防水機能を持たせることが困難である。それに比べて、上記の構成では、携帯端末機１のケース２内にアンテナ２７を収納しているので、第一シール部材１４、第二シール部材１５、第三シール部材２４、第四シール部材３４によってケース２を水密にして、携帯端末機１に防水機能を持たせることが容易である。
【００５２】
以上、本発明の好適な実施の形態を例示により説明したが、本発明の範囲は上記の実施の形態に限定されるものではなく、特許請求の範囲に記載された範囲内において目的に応じて変形することが可能である。
【００５３】
例えば、上記の実施の形態では、携帯端末機のケースに形成したアンテナ保持部によって通信モジュールのアンテナを保持する場合を例示したが、それ以外、携帯端末機のケース２内に別途アンテナ保持部材を取り付けてもよい。その場合には、アンテナ保持部材によって、通信モジュールのアンテナをより安定に保持することができる。さらに、アンテナ保持部材が、落下や衝突などの衝撃を緩和するためのエラストマー製である場合には、アンテナ保持部材によって落下や衝突などの衝撃を吸収することができ、アンテナの基端部に加わる衝撃負荷を小さくすることができる。
【産業上の利用可能性】
【００５４】
以上のように、本発明にかかる携帯端末機は、良好な通信感度（送受信感度）を得ることができ、かつ、落下や衝突などの衝撃からアンテナを保護することができるという効果を有し、例えば通信カード等の通信モジュールを内部に収納可能な携帯端末機等として有用である。
【図面の簡単な説明】
【００５５】
【図１】本発明の実施の形態における携帯端末機の要部側断面図
【図２】本発明の実施の形態における携帯端末機の分解斜視図
【図３】本発明の実施の形態における携帯端末機および通信モジュールの説明斜視図
【図４】本発明の実施の形態における上ケースの下面図
【図５】本発明の実施の形態における下ケースの下面図
【図６】本発明の実施の形態におけるカバーの上面図
【符号の説明】
【００５６】
１  携帯端末機
２  ケース
３  通信カード
４  上ケース
５  下ケース
６  カバー
１２  主基板
１３  コードリードモジュール
１４  第一シール部材
１５  第二シール部材
１６  ガイドリブ
１８  ガイド切欠き部
１９  ガイド凹部
２１  カード本体
２２  カード本体収納部
２３  ガイド孔
２４  第三シール部材
２５  電池収納部
２７  アンテナ
３０  アンテナ保持部
３１  アンテナガイド部
３２  カードカバー
３３  電池カバー
３４  第四シール部材
θ  アンテナの傾斜角
【図１】
2006319855.tif 000003
【図２】
2006319855.tif 000004
【図３】
2006319855.tif 000005
【図４】
2006319855.tif 000006
【図５】
2006319855.tif 000007
【図６】
2006319855.tif 000008